(57)【特許請求の範囲】
【請求項１】
トラックに沿って配置されたホログラムの干渉縞を表現する凹凸パターンが形成され、その上に少なくとも反射性薄膜層が形成された第１の基板と、デジタルデータを表す凹凸パターンが形成され、その上に少なくとも半透過性薄膜層が形成された第２の基板とを、接着層を介して、第１の基板の反射性薄膜層が形成された側あるいはその反対側と第２の基板の半透過性薄膜層が形成された側あるいはその反対側とを貼り合わせてなり、前記ホログラムの干渉縞を表現する凹凸パターンは、ホログラムの干渉縞を表す曲線と前記トラックと交差する点を中心に配置されホログラムの干渉縞を表す曲線間の距離の略半分の長さのピット列からなることを特徴とする光情報記録ディスク。
【請求項２】
デジタルデータを表す凹凸パターンが形成され、その上に少なくとも半透過性薄膜層が形成され、その上にトラックに沿って配置されたホログラムの干渉縞を表現する凹凸パターンが形成され、その上に少なくとも反射性薄膜層が形成された第１の基板と、デジタルデータを表す凹凸パターンが形成され、その上に少なくとも半透過性薄膜層が形成され、その上にトラックに沿って配置されたホログラムの干渉縞を表現する凹凸パターンが形成され、その上に少なくとも反射性薄膜層が形成された第２の基板とを、接着層を介して、第１の基板の反射性薄膜層が形成された側と第２の基板の反射性薄膜層が形成された側とを貼り合わせてなり、前記ホログラムの干渉縞を表現する凹凸パターンは、ホログラムの干渉縞を表す曲線と前記トラックと交差する点を中心に配置されホログラムの干渉縞を表す曲線間の距離の略半分の長さのピット列からなることを特徴とする光情報記録ディスク。
【請求項３】
トラックに沿って配置されたホログラムの干渉縞を表現する凹凸パターンが形成され、その上に少なくとも反射性薄膜層が形成され、その上にデジタルデータを表す凹凸パターンが形成され、その上に少なくとも半透過性薄膜層が形成された第１の基板と、トラックに沿って配置されたホログラムの干渉縞を表現する凹凸パターンが形成され、その上に少なくとも反射性薄膜層が形成され、その上にデジタルデータを表す凹凸パターンが形成され、その上に少なくとも半透過性薄膜層が形成された第２の基板とを、接着層を介して、第１の基板の反射性薄膜層が形成された側と第２の基板の反射性薄膜層が形成された側とを貼り合わせてなり、前記ホログラムの干渉縞を表現する凹凸パターンは、ホログラムの干渉縞を表す曲線と前記トラックと交差する点を中心に配置されホログラムの干渉縞を表す曲線間の距離の略半分の長さのピット列からなることを特徴とする光情報記録ディスク。
【請求項４】
デジタルデータを表す凹凸パターンが形成され、その上に少なくとも半透過性薄膜層が形成され、その上にトラックに沿って配置されたホログラムの干渉縞を表現する凹凸パターンが形成され、その上に少なくとも反射性薄膜層が形成された第１の基板と、トラックに沿って配置されたホログラムの干渉縞を表現する凹凸パターンが形成され、その上に少なくとも反射性薄膜層が形成され、その上にデジタルデータを表す凹凸パターンが形成され、その上に少なくとも半透過性薄膜層が形成された第２の基板とを、接着層を介して、第１の基板の反射性薄膜層が形成された側と第２の基板の反射性薄膜層が形成された側とを貼り合わせてなり、前記ホログラムの干渉縞を表現する凹凸パターンは、ホログラムの干渉縞を表す曲線と前記トラックと交差する点を中心に配置されホログラムの干渉縞を表す曲線間の距離の略半分の長さのピット列からなることを特徴とする光情報記録ディスク。
【請求項５】
デジタルデータを表す凹凸パターンが何れかの部位に形成され、そのデジタルデータを表す凹凸パターンが形成されていない部位の少なくとも一部にトラックに沿って配置されたホログラムの干渉縞を表現する凹凸パターンが形成されており、前記ホログラムの干渉縞を表現する凹凸パターンは、ホログラムの干渉縞を表す曲線と前記トラックと交差する点を中心に配置されホログラムの干渉縞を表す曲線間の距離の略半分の長さのピット列からなることを特徴とする光情報記録ディスク。
【請求項６】
前記のホログラムの干渉縞を表現する凹凸パターンが前記のデジタルデータを表す凹凸パターンの上の少なくとも一部に形成された半透過性薄膜層を通して観察可能に配置されていることを特徴とする請求項５記載の光情報記録ディスク。
【請求項７】
デジタルデータを表す凹凸パターンが形成された光情報記録ディスクにおいて、前記のデジタルデータを表す凹凸パターンの上に少なくとも半透過性薄膜層が形成され、かつ、前記のデジタルデータを表す凹凸パターンの読み取り側とは反対側の少なくとも一部にトラックに沿って配置されたホログラムの干渉縞を表現する凹凸パターンが形成され、その上に少なくとも反射性薄膜層が形成されてなり、前記のデジタルデータを表す凹凸パターンの読み取り側と同じ方向から前記のホログラムの干渉縞を表現する凹凸パターンによる再生像が観察可能になっており、前記ホログラムの干渉縞を表現する凹凸パターンは、ホログラムの干渉縞を表す曲線と前記トラックと交差する点を中心に配置されホログラムの干渉縞を表す曲線間の距離の略半分の長さのピット列からなることを特徴とする光情報記録ディスク。
【請求項８】
前記のデジタルデータを表す凹凸パターンがトラックに沿って配置された一定高さの２値のピット列からなり、前記のホログラムの干渉縞を表現するピット列が同じ高さのピット列からなることを特徴とする請求項１から７の何れか１項記載の光情報記録ディスク。
【発明の詳細な説明】
【０００１】
【発明の属する技術分野】
本発明は、光情報記録ディスクに関し、特に、ＤＶＤ等において計算機によって発生されたホログラムからなる意匠を施した光情報記録ディスクに関するものである。
【０００２】
【従来の技術】
光情報記録ディスクとしてＣＤやＤＶＤ等がある。これら光情報記録ディスクに対し、その意匠性や偽造防止の観点からレーベル面側にホログラムを付与する提案がなされている（特表平７−５００９３８号）。しかし、この提案では、光記録面に対してホログラムを付与することはできず、光記録面側に意匠を施す手段が望まれていた。特に、ＤＶＤは両面にデータを記録するディスク仕様があるため、従来のシルク印刷によるレーベルが作成できず、光記録面そのものに意匠を施す手段の提供が望まれていた。
【０００３】
【発明が解決しようとする課題】
本発明は従来技術のこのような状況に鑑みてなされたものであり、その目的は、光記録面（読み取り面）側から同時に観察可能なホログラムを設けた光情報記録ディスクを提供することである。
【０００４】
【課題を解決するための手段】
上記目的を達成する本発明の第１の光情報記録ディスクは、ホログラムの干渉縞を表現する凹凸パターンが形成され、その上に少なくとも反射性薄膜層が形成された第１の基板と、デジタルデータを表す凹凸パターンが形成され、その上に少なくとも半透過性薄膜層が形成された第２の基板とを、接着層を介して、第１の基板の反射性薄膜層が形成された側あるいはその反対側と第２の基板の半透過性薄膜層が形成された側あるいはその反対側とを貼り合わせてなることを特徴とするものである。
【０００５】
この光情報記録ディスクは、片面２層片面読み取り光情報記録ディスク（ＤＶＤ−９）であるが、ホログラムのデータが記録された２層目は、デジタルデータを記録しない部位とし、あたかも片面１層ディスク（ＤＶＤ−５）のように使用するものである。
【０００６】
本発明の第２の光情報記録ディスクは、デジタルデータを表す凹凸パターンが形成され、その上に少なくとも半透過性薄膜層が形成され、その上にホログラムの干渉縞を表現する凹凸パターンが形成され、その上に少なくとも反射性薄膜層が形成された第１の基板と、デジタルデータを表す凹凸パターンが形成され、その上に少なくとも半透過性薄膜層が形成され、その上にホログラムの干渉縞を表現する凹凸パターンが形成され、その上に少なくとも反射性薄膜層が形成された第２の基板とを、接着層を介して、第１の基板の反射性薄膜層が形成された側と第２の基板の反射性薄膜層が形成された側とを貼り合わせてなることを特徴とするものである。
【０００７】
本発明の第３の光情報記録ディスクは、ホログラムの干渉縞を表現する凹凸パターンが形成され、その上に少なくとも反射性薄膜層が形成され、その上にデジタルデータを表す凹凸パターンが形成され、その上に少なくとも半透過性薄膜層が形成された第１の基板と、ホログラムの干渉縞を表現する凹凸パターンが形成され、その上に少なくとも反射性薄膜層が形成され、その上にデジタルデータを表す凹凸パターンが形成され、その上に少なくとも半透過性薄膜層が形成された第２の基板とを、接着層を介して、第１の基板の反射性薄膜層が形成された側と第２の基板の反射性薄膜層が形成された側とを貼り合わせてなることを特徴とするものである。
【０００８】
本発明の第４の光情報記録ディスクは、デジタルデータを表す凹凸パターンが形成され、その上に少なくとも半透過性薄膜層が形成され、その上にホログラムの干渉縞を表現する凹凸パターンが形成され、その上に少なくとも反射性薄膜層が形成された第１の基板と、ホログラムの干渉縞を表現する凹凸パターンが形成され、その上に少なくとも反射性薄膜層が形成され、その上にデジタルデータを表す凹凸パターンが形成され、その上に少なくとも半透過性薄膜層が形成された第２の基板とを、接着層を介して、第１の基板の反射性薄膜層が形成された側と第２の基板の反射性薄膜層が形成された側とを貼り合わせてなることを特徴とするものである。
【０００９】
これらの光情報記録ディスクは、両面２層両面読み取り光情報記録ディスクであるが、ホログラムのデータが記録された２層目は、デジタルデータを記録しない部位とし、あたかも両面１層ディスク（ＤＶＤ−１０）のように使用するものである。
【００１０】
本発明の第５の光情報記録ディスクは、デジタルデータを表す凹凸パターンが何れかの部位に形成され、そのデジタルデータを表す凹凸パターンが形成されていない部位の少なくとも一部にホログラムの干渉縞を表現する凹凸パターンが形成されていることを特徴とするものである。
【００１１】
この場合に、ホログラムの干渉縞を表現する凹凸パターンがデジタルデータを表す凹凸パターンの上の少なくとも一部に形成された半透過性薄膜層を通して観察可能に配置されていることが望ましい。
【００１２】
本発明の第６の光情報記録ディスクは、デジタルデータを表す凹凸パターンが形成された光情報記録ディスクにおいて、前記のデジタルデータを表す凹凸パターンの上に少なくとも半透過性薄膜層が形成され、かつ、前記のデジタルデータを表す凹凸パターンの読み取り側とは反対側の少なくとも一部にホログラムの干渉縞を表現する凹凸パターンが形成され、その上に少なくとも反射性薄膜層が形成されてなり、前記のデジタルデータを表す凹凸パターンの読み取り側と同じ方向から前記のホログラムの干渉縞を表現する凹凸パターンによる再生像が観察可能になっていることを特徴とするものである。
【００１３】
以上の光情報記録ディスクにおいて、デジタルデータを表す凹凸パターンが一定高さの２値の凹凸パターンからなり、ホログラムの干渉縞を表現する凹凸パターンが同じ高さの２値の凹凸パターンからなることが望ましい。
【００１４】
本発明の光情報記録ディスクにおいては、何れも読み取り面側から同時にホログラムの再生像が観察可能であり、光情報記録ディスクの光記録面に意匠を施したり、偽造防止のためのホログラムを付与することができる。
【００１５】
【発明の実施の形態】
本発明の基本原理は、トラックに設けたピット（一定深さの穴あるいは凸部）と呼ばれる凹凸パターンのトラックに沿う方向の長さによりデジタルデータを表して記録しているＤＶＤ等の光情報記録ディスクにおいて、デジタルデータが記録されていない部分において、そのピットの形状・配置によってホログラムの干渉縞を表現するように記録して、デジタルデータ読み取り側からデジタルデータの読み取りを邪魔しないようにしながらそのホログラムにより意匠あるいは偽造防止のための再生パターン等が目視できるようにした光情報記録ディスクに関するものである。
【００１６】
図１５に光情報記録ディスクの例として、ＤＶＤの一部を示す。ＤＶＤは厚さ０．６ｍｍの透明樹脂層の裏面に０．７４μｍのピッチのトラックに沿ってピットと呼ばれる高さ０．１μｍ、幅０．３μｍの穴が形成される。そのピットのトラック方向の長さによってデジタルデータが表される。ピットが形成された透明樹脂層の裏面全面に金属からなる反射膜が設けられ、その反射膜の表面に樹脂保護膜が形成されてなる。対物レンズにより透明樹脂層側からトラック上にレーザスポットを形成すると、ピットが存在すればそのエッジでレーザ光の一部が回折されて対物レンズに戻る光量が低下し、ピットが存在しなければその光量低下がないので、このピットで表されたデジタルデータが読み取られる。
【００１７】
図１４は、トラックに沿って配置されたピットがトラックを横切る破線群と交差する点を中心に配置され、各ピットの長さを破線間の距離の略半分にした場合のピット配列を示す図であり、１本の破線に沿って配置されたピット列が疑似的に１つの曲線を形成する。したがって、破線群としてホログラムの干渉縞を用いると、このようなピット配列によりレリーフホログラムの干渉縞と同様に機能させることができる。これが本発明の光情報記録ディスクにおいて用いる原理である。なお、このようなホログラムの干渉縞を表現するピットの形状とその配列は、計算機を用いて算出することができる。
【００１８】
以下、本発明による光情報記録ディスクの実施例について説明する。図１は、本発明の光情報記録ディスクの一例を示す断面図である。透明樹脂層を形成する基材１には、デジタルデータ（ＤＶＤデータ）のピット群からなる凹凸パターンが形成され、凹凸面に半透過性薄膜層２が形成される。一方、別の基材５の表面には上記のレリーフホログラムの干渉縞を表現するピット群からなる凹凸パターンが形成され、その凹凸面に反射性薄膜層４が形成される。
【００１９】
上記基材１、５の材質としては、主にポリカーボネート樹脂が用いられる。凹凸パターンの作成にあたっては、例えばニッケルスタンパ等を用いて樹脂を射出成型することで行われる。半透過性薄膜層２及び反射性薄膜層４は、通常、スパッタリングや蒸着により形成され、材質としては、半透過性薄膜層２には主に金等の金属膜を極薄くしたものや誘電体膜が用いられ、反射性薄膜層４には主にアルミニウムが用いられる。半透過性薄膜層２及び反射性薄膜層４には、適宜保護層６、７が形成される。保護層６、７の形成例としては、紫外線硬化樹脂をスピンコーターで塗布し、紫外線硬化により硬化させて設ける。その後、保護層６と保護層７の間に接着層３を介して両基材１、５を貼り合わせることで、本発明の１実施例の光情報記録ディスクを得ることができる。接着層３としては、主に光透過率の高いホットメルト接着剤や紫外線硬化型接着剤等が用いられる。
【００２０】
このような光情報記録ディスクにおいて、凹凸面に半透過性薄膜層２が形成されたデジタルデータは、基材１を通して図１の矢印方向から読み取られる。また、凹凸面に反射性薄膜層４が形成されたレリーフホログラムの再生像は、基材１、半透過性薄膜層２、保護層６、接着層３、保護層７を介して同じく図１の矢印方向から観察できる。
【００２１】
図２は図１の変形である。この例では、保護層６と基材５の間に接着層３を介して両基材１、５を貼り合わせている。この光情報記録ディスクにおいては、凹凸面に半透過性薄膜層２が形成されたデジタルデータは、基材１を通して図２の矢印方向から読み取られる。また、凹凸面に反射性薄膜層４が形成されたレリーフホログラムの再生像は、基材１、半透過性薄膜層２、保護層６、接着層３、基材５を介して同じく図２の矢印方向から観察できる。
【００２２】
図３も図１の変形である。この例では、基材１と保護層７の間に接着層３を介して両基材１、５を貼り合わせている。この光情報記録ディスクにおいては、凹凸面に半透過性薄膜層２が形成されたデジタルデータは、保護層６を通して図３の矢印方向から読み取られる。また、凹凸面に反射性薄膜層４が形成されたレリーフホログラムの再生像は、保護層６、半透過性薄膜層２、基材１、接着層３、保護層７を介して同じく図３の矢印方向から観察できる。
【００２３】
図４も図１の変形である。この例では、基材１と基材５の間に接着層３を介して両基材１、５を貼り合わせている。この光情報記録ディスクにおいては、凹凸面に半透過性薄膜層２が形成されたデジタルデータは、保護層６を通して図４の矢印方向から読み取られる。また、凹凸面に反射性薄膜層４が形成されたレリーフホログラムの再生像は、保護層６、半透過性薄膜層２、基材１、接着層３、基材５を介して同じく図４の矢印方向から観察できる。
【００２４】
図５は、本発明の光情報記録ディスクの別の例を示す断面図である。この実施例の光情報記録ディスクは両面２層タイプの光情報記録ディスクである。透明樹脂層を形成する基材１には、デジタルデータ（ＤＶＤデータ）のピット群からなる凹凸パターンが形成され、凹凸面に半透過性薄膜層２が形成される。その半透過性薄膜層２上に透明樹脂層８が形成され、その表面にレリーフホログラムの干渉縞を表現するピット群からなる凹凸パターンが形成され、その凹凸面に反射性薄膜層４が形成される。反射性薄膜層４には、適宜保護層７が形成される。同様の構成の２枚のディスク１１と１２を、保護層７と保護層７の間に接着層３を介して両ディスク１１、１２を背中合わせで貼り合わせる。この光情報記録ディスクにおいては、一方のディスク１１の凹凸面に半透過性薄膜層２が形成されたデジタルデータは、基材１を通して図５の下側から読み取られる。また、凹凸面に反射性薄膜層４が形成されたレリーフホログラムの再生像は、基材１、透明樹脂層８を介して同じく図５の下側から観察できる。他方のディスク１２についても、同様に、基材１を通して図５の上側からデジタルデータが読み取られ、また、基材１、透明樹脂層８を介して同じく図５の上側からレリーフホログラムの再生像が観察できる。
【００２５】
図６は、本発明の両面２層タイプの光情報記録ディスクの別の例を示す断面図である。基材５の表面にはレリーフホログラムの干渉縞を表現するピット群からなる凹凸パターンが形成され、その凹凸面に反射性薄膜層４が形成される。その反射性薄膜層４上に透明樹脂層９が形成され、その表面にデジタルデータ（ＤＶＤデータ）のピット群からなる凹凸パターンが形成され、その凹凸面に半透過性薄膜層２が形成される。半透過性薄膜層２には、適宜保護層６が形成される。同様の構成の２枚のディスク１３と１４を、基材５と基材５の間に接着層３を介して両ディスク１３、１４を背中合わせで貼り合わせる。この光情報記録ディスクにおいては、一方のディスク１３の凹凸面に半透過性薄膜層２が形成されたデジタルデータは、保護層６を通して図６の下側から読み取られる。また、凹凸面に反射性薄膜層４が形成されたレリーフホログラムの再生像は、保護層６、透明樹脂層９を介して同じく図６の下側から観察できる。他方のディスク１４についても、同様に、保護層６を通して図６の上側からデジタルデータが読み取られ、また、保護層６、透明樹脂層９を介して同じく図６の上側からレリーフホログラムの再生像が観察できる。
【００２６】
図７は、図５の一方の側のディスク１１と図６の一方の側のディスク１３とを保護層７と基材５の間に接着層３を介して背中合わせで貼り合わせたものであり、そのデジタルデータの読み取り、レリーフホログラムの再生像の観察は同様である。
【００２７】
図８は、本発明の光情報記録ディスクの別の例を示す図である。図（ａ）は断面図、図（ｂ）は平面図である。基材２１の表面のディスク中央部の穴２３の周りの中心領域には、デジタルデータ（ＤＶＤデータ）のピット群からなる凹凸パターン２４が形成され、周辺にはレリーフホログラムの干渉縞を表現するピット群からなる凹凸パターン２５が形成されている。凹凸パターン２４の凹凸面には反射性薄膜層２６が形成され、凹凸パターン２５の凹凸面には反射性薄膜層２６’が形成されている。反射性薄膜層２６と反射性薄膜層２６’は同じ材質からなるものでも、異なる材質からなるものでもよい。その反射性薄膜層２６、２６’上には、適宜保護層２８が形成される。このようなディスク１５が保護層２８側でダミーディスク２２に接着層３を介して貼り合わせられる。この光情報記録ディスクにおいては、凹凸面に反射性薄膜層２６が形成された中心領域のデジタルデータは、基材２１を通して図８（ａ）の下側から読み取られる。また、凹凸面に反射性薄膜層２６’が形成された周辺領域のレリーフホログラムの再生像２７は、基材２１を通して同じく図８（ａ）の下側から観察できる。その様子を図８（ｂ）に示す。
【００２８】
図９は、図８の変形である。すなわち、基材２１の表面にデジタルデータ（ＤＶＤデータ）のピット群からなる凹凸パターン２４が形成され、凹凸パターン２４の凹凸面には反射性薄膜層２６が形成され、その反射性薄膜層２６上には、適宜保護層２８が形成されてなる通常の光情報記録ディスク１６に、図８のディスク１５を接着層３を介して保護層２８、２８側で貼り合わてなる光情報記録ディスクである。ディスク１６のデジタルデータは、基材２１を通して図９の上側から読み取られる。ディスク１５の中心領域のデジタルデータは、基材２１を通して図９の下側から読み取られる。また、周辺領域のレリーフホログラムの再生像は、基材２１を通して同じく図９の下側から観察できる。
【００２９】
図１０も、図８の変形である。この例では、図８のディスク１５と同様のディスク１５、１７を接着層３を介して保護層２８、２８側で貼り合わてなる光情報記録ディスクである。ディスク１７の中心領域のデジタルデータは、基材２１を通して図１０の上側から読み取られる。また、周辺領域のレリーフホログラムの再生像は、基材２１を通して同じく図１０の上側から観察できる。ディスク１５の中心領域のデジタルデータは、基材２１を通して図１０の下側から読み取られる。また、周辺領域のレリーフホログラムの再生像は、基材２１を通して同じく図１０の下側から観察できる。
【００３０】
図１１も、図８の変形である。この例では、ディスク１８は、中心領域にデジタルデータ（ＤＶＤデータ）のピット群からなる凹凸パターン２４が形成され、周辺にはレリーフホログラムの干渉縞を表現するピット群からなる凹凸パターン２５が形成され、両凹凸パターン２４、２５の凹凸面には何れも半透過性薄膜層２が形成されており、その半透過性薄膜層２上には、適宜保護層２８が形成されている。一方、そのディスク１８に保護層２８で貼り合わせられるディスク１９は、図１のレリーフホログラムの干渉縞を表現するピット群からなる凹凸パターンが形成された基材５と同様の構成であり、ディスク１８の中心領域のデジタルデータは、基材２１を通して図１１の下側から読み取られる。また、ディスク１８の周辺領域のレリーフホログラムの再生像は、基材２１を通して同じく図１１の下側から観察できる。また、ディスク１９の全域のレリーフホログラムの再生像は、ディスク１８とその基材７を通して同じく図１１の下側から観察できる。
【００３１】
図１２は、図１１とは反対に、読み取り・観察側（図１２の下側）にあるディスク３１全域にデジタルデータ（ＤＶＤデータ）の凹凸パターン２４を記録し、その反射層に半透過性薄膜層２を用い、読み取り・観察側と反対側（図１２の上側）にあるディスク３２の中心領域にレリーフホログラムの干渉縞を表現するピット群からなる凹凸パターン２５を形成し、周辺領域にデジタルデータ（ＤＶＤデータ）のピット群からなる凹凸パターン２４を形成し、それらの反射層に反射性薄膜層２６を用いた例である。
【００３２】
図１３は、図１２による光情報記録ディスク３３、３４を２枚背中合わせで貼り合わせて両面２層タイプの光情報記録ディスクにした例であり、説明は省く。
【００３３】
以上の図８〜図１３の例において、図１〜図４と同様に、基材２１と保護層２８の位置を入れ換えてもよいことはもちろんである。
【００３４】
以上、本発明の光情報記録ディスクを実施例に基づいて説明してきたが、本発明はこれら実施例に限定されず種々の変形が可能である。
【００３５】
【発明の効果】
以上の説明から明らかなように、本発明の光情報記録ディスクによると、読み取り面側から同時にホログラムの再生像が観察可能であり、光情報記録ディスクの光記録面に意匠を施したり、偽造防止のためのホログラムを付与することができる。
【図面の簡単な説明】
【図１】本発明の光情報記録ディスクの一例を示す断面図である。
【図２】図１の変形の光情報記録ディスクを示す断面図である。
【図３】図１の別の変形の光情報記録ディスクを示す断面図である。
【図４】図１のさらに別の変形の光情報記録ディスクを示す断面図である。
【図５】本発明の光情報記録ディスクの別の例を示す断面図である。
【図６】本発明の両面２層タイプの光情報記録ディスクの別の例を示す断面図である。
【図７】図５と図６の構成を組み合わせた光情報記録ディスクの例を示す断面図である。
【図８】本発明の光情報記録ディスクの別の例を示す断面図と平面図である。
【図９】図８の変形の光情報記録ディスクを示す断面図である。
【図１０】図８の別の変形の光情報記録ディスクを示す断面図である。
【図１１】図８のさらに別の変形の光情報記録ディスクを示す断面図である。
【図１２】本発明の光情報記録ディスクの別の例を示す断面図である。
【図１３】図１２による光情報記録ディスクから両面２層タイプの光情報記録ディスクにした例を示す断面図である。
【図１４】本発明の光情報記録ディスクにおいて用いる原理を説明するための図である。
【図１５】ＤＶＤの原理を説明するための図である。
【符号の説明】
１…基材（デジタルデータ用）
２…半透過性薄膜層
３…接着層
４…反射性薄膜層
５…基材（ホログラム用）
６…保護層（デジタルデータ用）
７…保護層（ホログラム用）
８、９…透明樹脂層
１１、１２、１３、１４、１５、１６、１７、１８、１９…ディスク
２１…基材
２２…ダミーディスク
２３…ディスク中央部の穴
２４…デジタルデータ（ＤＶＤデータ）のピット群からなる凹凸パターン
２５…レリーフホログラムの干渉縞を表現するピット群からなる凹凸パターン
２６、２６’…反射性薄膜層
２７…レリーフホログラムの再生像
２８…保護層
３１、３２…ディスク
３３、３４…光情報記録ディスク
【図１】
0004114760.tif 000002
【図２】
0004114760.tif 000003
【図３】
0004114760.tif 000004
【図４】
0004114760.tif 000005
【図５】
0004114760.tif 000006
【図６】
0004114760.tif 000007
【図７】
0004114760.tif 000008
【図８】
0004114760.tif 000009
【図９】
0004114760.tif 000010
【図１０】
0004114760.tif 000011
【図１１】
0004114760.tif 000012
【図１２】
0004114760.tif 000013
【図１３】
0004114760.tif 000014
【図１４】
0004114760.tif 000015
【図１５】
0004114760.tif 000016